(57)【要約】【課題】  ヘッドカバーとともにボールマーカーの紛失を防止でき、取り扱いや携帯性に優れたヘッドカバーホルダーを提供する。【解決手段】  ヘッドカバーホルダー１を、ヘッドカバー３０を挟持するクリップ２と、クリップ２に、連結具３を介して連結され、プレーヤーの衣服のポケットに取り出し自在に収容されるとともに、ボールマーカー３５を接触保持するマーカー保持体４と、を備えて構成した。好ましくは、マーカー保持体４に、磁性体または磁石が設けられ、ボールマーカー３５を着脱自在に吸着保持せしめる。【選択図】  図４
0003148355.tif 000002
【実用新案登録請求の範囲】
【請求項１】
ヘッドカバーを挟持するクリップと、
該クリップに、連結具を介して連結され、プレーヤーの衣服のポケットに取り出し自在に収容されるとともに、ボールマーカーを接触保持するマーカー保持体と、を備えたヘッドカバーホルダー。
【請求項２】
該マーカー保持体に、磁性体または磁石が設けられ、ボールマーカーを着脱自在に吸着保持せしめた請求項１に記載のヘッドカバーホルダー。
【請求項３】
該マーカー保持体が、防湿性を有するとともに表面が平滑に形成された透磁性材料からなり、磁性体または磁石が内設された請求項２に記載のヘッドカバーホルダー。
【請求項４】
該マーカー保持体に、ボールマーカーを収納する凹部が形成され、
ボールマーカーを収納した際に、該マーカー保持体と該ボールマーカーとが、略面一となるようになされた請求項２に記載のヘッドカバーホルダー。
【請求項５】
該マーカー保持体が、略円盤形状をなす請求項３または４に記載のヘッドカバーホルダー。
【請求項６】
請求項１乃至５の何れかに記載のヘッドカバーホルダーと、
該ヘッドカバーホルダーが固着されたヘッドカバーと、を備えたマーカー保持ヘッドカバー。
【考案の詳細な説明】
【技術分野】
【０００１】
本考案は、主としてゴルフクラブに用いられるヘッドカバーのホルダーに関する。
【背景技術】
【０００２】
従来、ゴルフクラブのヘッド部を保護するために、ヘッドカバーが被せられることが多い。ゴルフクラブの使用時には、ヘッドカバーを一時的にでも取り外す必要があるため、取り外したヘッドカバーを置き忘れる等して紛失し易く、このヘッドカバーの管理が、ゴルフのプレーに際して煩わしいものであった。
【０００３】
これに対して、ヘッドカバーを、プレーヤーの衣服に着脱自在に取り付け、ゴルフのプレーの邪魔にならないように保管できるようにしたヘッドカバー保持具が知られている（例えば特許文献１）。
【０００４】
【特許文献１】実用新案登録第３１２８０５３号公報
【考案の開示】
【考案が解決しようとする課題】
【０００５】
ところで、ヘッドカバーと同様、ゴルフのプレー中に比較的頻繁に用いられるものとして、グリーン面上でボール位置をマークするためのボールマーカーがある。ボールマーカーは、径１７〜２５ｍｍ程度の大きさのものが一般的であるため、いざという時にズボンのポケットの中等から取り出し難く、また紛失し易いという課題がある。
【０００６】
したがって、ヘッドカバーとともにボールマーカーの紛失を防止でき、これらを使い易い状態で保管できる道具があれば、プレーヤーにとって非常に便利である。
【０００７】
そこで、本考案は上記課題に鑑みてなされたものであり、ヘッドカバーとともにボールマーカーの紛失を防止でき、取り扱いや携帯性に優れたヘッドカバーホルダーを提供することを目的としている。
【課題を解決するための手段】
【０００８】
上記の課題を解決するために、請求項１に記載のヘッドカバーホルダーは、ヘッドカバーを挟持するクリップと、該クリップに、連結具を介して連結され、プレーヤーの衣服のポケットに取り出し自在に収容されるとともに、ボールマーカーを接触保持するマーカー保持体と、を備えたことを要旨とする。
【０００９】
また、請求項２に記載のヘッドカバーホルダーは、請求項１に記載の構成において、該マーカー保持体に、磁性体または磁石が設けられ、ボールマーカーを着脱自在に吸着保持せしめたことを要旨とする。
【００１０】
また、請求項３に記載のヘッドカバーホルダーは、請求項２に記載の構成において、該マーカー保持体が、防湿性を有するとともに表面が平滑に形成された透磁性材料からなり、磁性体または磁石が内設されたことを要旨とする。
【００１１】
また、請求項４に記載のヘッドカバーホルダーは、請求項２に記載の構成において、該マーカー保持体に、ボールマーカーを収納する凹部が形成され、ボールマーカーを収納した際に、該マーカー保持体と該ボールマーカーとが、略面一となるようになされたことを要旨とする。
【００１２】
また、請求項５に記載のヘッドカバーホルダーは、請求項３または４に記載の構成において、該マーカー保持体が、略円盤形状をなすことを要旨とする。
【００１３】
また、請求項６に記載のマーカー保持ヘッドカバーは、請求項１乃至５の何れかに記載される構成のヘッドカバーホルダーと、該ヘッドカバーホルダーが固着されたヘッドカバーと、を備えたことを要旨とする。
【考案の効果】
【００１４】
本考案のヘッドカバーホルダーは、ヘッドカバーを挟持するクリップと、該クリップに、連結具を介して連結され、プレーヤーの衣服のポケットに取り出し自在に収容されるとともに、ボールマーカーを接触保持するマーカー保持体と、を備えて構成されるため、ヘッドカバーとともにボールマーカーの紛失も防止でき、取り扱いや携帯性に優れている。
【考案を実施するための最良の形態】
【００１５】
以下、本考案の好ましい実施形態を、図面を参照しながら説明する。
【実施例１】
【００１６】
図１〜図４は本考案の第一実施例に係るヘッドカバーホルダー１を示す図であり、図１はヘッドカバーホルダー１の正面図、図２は平面図、図３は図１におけるＡ−Ａ線断面図である。図４はヘッドカバーホルダー１の使用状況を示す図である。
【００１７】
図１〜図４に示すように、ヘッドカバーホルダー１は、クリップ２と、クリップ２に連結具３を介して連結されたマーカー保持体４と、を備えて構成されている。
【００１８】
クリップ２は、図１〜図２に示すように、軸支部１０と、軸支部１０に軸着される一対の挟持部１１ａ、１１ｂとを備え、軸支部１０の回動に伴って、挟持部１１ａ、１１ｂが開閉する構造を有するものである。また、連結具３は、図１〜図２に示すように、円環状をなす大小の連結リング１５ａ〜１５ｄと、回動自在に結合される連結金具１６ａ、１６ｂとを適宜組み合わせることによって構成されている。
クリップ２および連結具３は、例えば合成樹脂製や金属製であるが、上記に限定されず、様々な形態のものを採用してよい。
【００１９】
マーカー保持体４は、図１〜図３に示すように、所定の大きさの平面視円形をなし、やや厚みのある平板状の本体部２０と、本体部２０の側面に適宜連設され、連結リング１５ｄと係合可能な連結片２１とを備え、全体として略円盤形状をなすように構成されている。
図３に示すように、本体部２０は、一対の薄板状部材を、接着ないし縫着等の固着手段を用いて貼り合わせてなるが、鉄等の磁性体２３が内設されており、これにより、本体部２０の表面両側に所定の吸着面２４、２４が形成されているものである。磁性体２３の大きさを適宜変更し、表面全体が吸着面２４となるようにしてもよい。また、吸着面２４は、少なくとも片側に形成されていればよいが、上記のように両側に形成した場合には、より利便性が向上する。
【００２０】
本体部２０には、一または複数の透磁性材料が幅広く用いられ、例えば合成皮革の内側に低反発ウレタン等を配設し、さらに磁性体２３を内設した構成とすることもできる。一方で、降雨時等の使用に際し、雨水や湿気による磁性体からの錆の発生等を抑制するためには、本体部２０は、防湿性を有する材料で形成されることが好ましい。このような材料としては、例えばポリ塩化ビニル（ＰＶＣ）、ポリウレタン（ＰＵ）、シリコン、ポリスチレン（ＰＳ）等の合成樹脂を用いることができる。中でもポリ塩化ビニル（ＰＶＣ）は、加工が容易である上、耐久性やコスト等の面で有利であり、本体部２０に好適な材料である。本体部２０の表面に、文字、図形、色彩や装飾等を任意に施し、視覚的効果を高めるようにしてもよい。
【００２１】
上記の如く構成されるヘッドカバーホルダー１の使用態様の一例について説明すると、図４に示すように、クリップ２の挟持部１１ａ、１１ｂによってヘッドカバー３０を挟持し、マーカー保持体４の吸着面２４には、磁石３４が適宜埋設されたコイン状ボールマーカー３５を着脱自在に吸着保持させて用いられる。ボールマーカー３５の形態が、上記のものに限定されないことは言うまでもない。ここで例示するヘッドカバー３０は、ゴルフクラブのヘッド部を被覆するＬ字型をなすとともに、ファスナー等によって開閉自在な開口部３１が設けられており、この開口部３１端辺の適宜位置にクリップ２が挟着されている。
【００２２】
ヘッドカバーホルダー１は、上記ヘッドカバー３０を挟着した状態で、マーカー保持体４を、プレーヤーの衣服のポケット（例えばズボンの後ろポケット）に取り出し自在に収容して用いることもできる。マーカー保持体４を、プレーヤーの衣服のポケットに収容することで、ゴルフクラブのヘッド部から外したヘッドカバー３０を、ポケットの外側に身に付けて適宜携帯することが可能となる。
ヘッドカバー３０を挟着させないときには、クリップ２でプレーヤーの衣服（例えばズボンのベルト通し部）やキャディーバッグ等を適宜挟持して用いるようにしてもよい。
マーカー保持体４の本体部２０としては、片手で握って手に馴染み易い大きさ・形状のものが適しており、好ましくは、直径４０〜６０ｍｍ、厚み５〜１５ｍｍ、より好ましくは、直径５０ｍｍ程度、厚み７ｍｍ程度の略円盤形状に形成されるのがよい。但し、これに限定されず、平面視楕円形、三角形、四角形、多角形、星形、ハート形など様々な形態のものを用いてもよい。
【００２３】
ボールマーカー３５に埋設される磁石３４としては、より具体的には永久磁石が用いられるが、例えばアルニコ磁石、フェライト磁石、希土類磁石等が用いられ、特にフェライト磁石が好ましい。これに対して、マーカー保持体４の磁性体２３としては、より具体的には強磁性体が用いられるが、例えば純鉄・軟鋼、ケイ素鉄、Fe-Ni合金、Fe-Co合金、Fe-Cr合金、フェライト、センダスト等が用いられ、特に純鉄・軟鋼が好ましい。
【００２４】
なお、マーカー保持体４の本体部２０に磁石を内設し、ボールマーカー３５を磁性体製等とすることにより、マーカー保持体４にボールマーカー３５を磁着保持させるようにしてもよい。但し、上記のように本体部２０に磁性体２３を内設する構成の場合には、磁石を内設する場合に比べて、磁石の大型化に伴うコストの削減や加工性の点で優れており、より好ましいものとなる。
【００２５】
上記したヘッドカバーホルダー１によれば、ゴルフクラブの使用時に取り外したヘッドカバー３０をクリップ２によって挟持し、マーカー保持体４をプレーヤーの衣服のポケット等に収容して容易に携帯できるため、ヘッドカバー３０を置き忘れる等して紛失するおそれがない。しかも、マーカー保持体４には、ボールマーカー３５を磁着保持できるため、ボールマーカー３５のポケット等からの取り出しが簡単におこなえ、ボールマーカー３５が紛失し難くなる。
【００２６】
ヘッドカバーホルダー１のマーカー保持体４によれば、吸着面２４を大きく確保できるため、ボールマーカー３５を磁着保持させ易く、吸着面２４から外れて落下するおそれも低くなる。マーカー保持体４の表面を平滑に形成する場合には、ボールマーカー３５をマーカー保持体４の表面上でスライドさせるだけで、大きな力を加えることなく容易にボールマーカー３５を取り外すことが可能となり、一層好ましい。一方で、マーカー保持体４に内設される磁性体２３、あるいは磁着保持されるボールマーカー３５の重量によって、クリップ２によって挟持したヘッドカバー３０が、プレーヤーのポケットから脱落し難いものとなっている。
【００２７】
中でもヘッドカバーホルダー１を、パターのクラブに用いる場合には、ヘッドカバー３０およびボールマーカー３５の紛失を防止しつつ、パッティングの際に、ボールマーカー３５を必要に応じて素早く取り出すことができ、きわめて利便性が高い。
【実施例２】
【００２８】
図５〜図６は本考案の第二実施例に係るヘッドカバーホルダー４０を示す図であり、図５はヘッドカバーホルダー４０の平面図、図６は使用状況を示す図である。実施例１と共通する構成については、同一の符号を付して説明を省略する。
【００２９】
ヘッドカバーホルダー４０は、図５に示すように、マーカー保持体４１の本体部４３に、ボールマーカー３５を収納可能なポケット部４４が設けられた構成となっている。マーカー保持体４１は、例えば合成皮革製であり、本体部４３には綿等の詰め物が適宜内包されている。
このように、本発明の「マーカー保持体」は、ボールマーカーを接触保持し得るものであれば、磁着保持する態様に限られない。ピンが垂設されるボールマーカーにあっては、本体部にピンを係脱可能に差し込むようにしてもよい。
【００３０】
ヘッドカバーホルダー４０は、図６に示す如くの懸吊部材４６を、適宜接続して用いることができる。懸吊部材４６によれば、ヘッドカバーホルダー４０を、プレーヤーのズボンのベルト通し部やキャディーバッグ等に着脱自在に吊着して携帯することができて便宜である。また、懸吊部材４６に、グリーンフォーク等他のアクセサリー類を取り付けることも可能となる。
【実施例３】
【００３１】
図７（ａ）（ｂ）は本考案の第三実施例に係るヘッドカバーホルダー５０を示す斜視図である。クリップおよび連結具については図示を省略している。
【００３２】
ヘッドカバーホルダー５０のマーカー保持体５１は、ダイキャスト製でやや重みのある本体部５２と連結片５３とを備えているが、図７（ａ）（ｂ）に示すように、本体部５２に、ボールマーカー６０を収納する凹部５５が形成されており、ボールマーカー６０を収納した際に、本体部５２とボールマーカー６０とが、略面一となるように構成されている。
【００３３】
凹部５５は、図７（ａ）に示すように、溝部５６と溝部５６よりも一段高い載置部５７とからなり、載置部５７には永久磁石５８が埋設されている。このような凹部５５の構成により、磁性体製等のボールマーカー６０を安定的に磁着保持でき、ボールマーカー６０がポケット内等で脱落し難いものとなる。さらに、収納したボールマーカー６０を溝部５６に向けて押下することで、ボールマーカー６０の取り外しも容易におこなえる。
【００３４】
図８（ａ）（ｂ）に、上記実施形態の変形例に係るヘッドカバーホルダー７０を示す。ヘッドカバーホルダー７０のマーカー保持体７１では、凹部７５にボールマーカー８０を収納した際に、本体部７２およびボールマーカー８０の表面が、全体として上方へ緩やかに湾曲して膨らんだ断面をなすように構成されている。凹部７５の溝部７６、載置部７７は図８（ａ）（ｂ）に示す如くの形状をなし、載置部７７に磁性体７８が埋設される一方で、ボールマーカー８０には永久磁石７９が埋設されている。凹部７５内壁の適宜位置に指掛け部等を切欠形成するようにしてもよい。
【００３５】
以上の実施形態の記述は、本考案をこれに限定するものではなく、本考案の要旨を逸脱しない範囲で種々の設計変更等が可能である。
なお、「クリップ」として、開閉構造を有しない適当な留め金具等を採用し、この留め金具等とヘッドカバーとを固着することにより、ヘッドカバーホルダーとヘッドカバーとをあらかじめ一体にしたものを、「マーカー保持ヘッドカバー」として供給することもできる。
【産業上の利用可能性】
【００３６】
本考案は、ヘッドカバーとともにボールマーカーの紛失を防止でき、取り扱いや携帯性に優れたヘッドカバーホルダーを提供するものであり、産業上の利用可能性を有する。
【図面の簡単な説明】
【００３７】
【図１】実施例１に係るヘッドカバーホルダーを示す正面図である。
【図２】実施例１に係るヘッドカバーホルダーを示す平面図である。
【図３】図１におけるＡ−Ａ線断面図である。
【図４】実施例１に係るヘッドカバーホルダーの使用状況を示す図である。
【図５】実施例２に係るヘッドカバーホルダーを示す正面図である。
【図６】実施例２に係るヘッドカバーホルダーの使用状況を示す図である。
【図７】（ａ）（ｂ）実施例３に係るヘッドカバーホルダーを示す斜視図である。
【図８】（ａ）変形例に係るヘッドカバーホルダーを示す斜視図、（ｂ）同断面図である。
【符号の説明】
【００３８】
１、４０、５０、７０  ヘッドカバーホルダー
２  クリップ
３  連結具
４、４１、５１、７１  マーカー保持体
２０、４３、５２、７２  本体部
２３  磁性体
２４  吸着面
３０  ヘッドカバー
３５、６０、８０  ボールマーカー
５５、７５  凹部
５８、７９  永久磁石
【図１】
0003148355.tif 000003
【図２】
0003148355.tif 000004
【図３】
0003148355.tif 000005
【図４】
0003148355.tif 000006
【図５】
0003148355.tif 000007
【図６】
0003148355.tif 000008
【図７】
0003148355.tif 000009
【図８】
0003148355.tif 000010